(57)【要約】【課題】  ユーザが即座に見たい画像を直ちに表示可能な電子機器を提供する。【解決手段】  メニュー画面からデータフォルダを選択し（図５（ａ））、続いて図５（ｂ）の表示でサブメニューを選択することにより表示が図５（ｃ）に切り替わり、図５（ｃ）の表示状態で４番目の先頭表示設定を選択し、続く図５（ｄ）で「立川バス時刻表」を選択することにより、この設定が終了した後にデータフォルダを表示する際には、「立川バス時刻表」が先頭に表示される。【選択図】        図５
2005086268.tif 000002
【特許請求の範囲】
【請求項１】
入力手段と、選択肢を複数格納可能な格納手段と、該格納手段に格納されている前記選択肢の一覧を表示する表示手段と、前記格納手段に格納されている前記選択肢の一覧を表示する際に常に先頭に表示する選択肢を、前記入力手段からの指示操作に応じて設定する設定手段と、
前記表示手段に前記選択肢の一覧を表示するよう前記入力手段からの入力があると、前記設定手段により設定された選択肢を選択肢一覧の先頭に表示させるように制御する制御手段と、を有することを特徴とする電子機器。
【請求項２】
第１の筐体と第２の筐体とがヒンジ部を介して開閉可能に接続され、
筐体を閉じた状態で露出する入力手段と、複数の選択肢を格納可能な格納手段と、筐体を閉じた状態で露出し前記格納手段に格納されている選択肢を表示する表示手段と、前記格納手段に格納されている選択肢の一覧を表示する際に常に先頭に表示する選択肢を、前記入力手段からの指示操作に応じて設定する設定手段と、
前記表示手段に選択肢の一覧を表示するよう前記入力手段からの指示操作があると、前記設定手段により設定された選択肢を選択肢一覧の先頭に表示させるように制御する制御手段と、を有することを特徴とする電子機器。
【請求項３】
請求項１〜２記載の電子機器であり、
前記格納手段は、データと該データのタイトルを格納し、前記選択肢は前記タイトルであることを特徴とする電子機器。
【請求項４】
請求項３記載の電子機器であり、
前記データは、電子メールの本文又は画情報であることを特徴とする電子機器。
【請求項５】
入力手段と、複数の選択肢を格納可能な格納手段と、該格納手段に格納されている選択肢の中から１つの選択肢のみ表示可能な表示手段と、前記格納手段に格納されている複数の選択肢を切り替え表示する際に常に最初に表示する選択肢を、前記入力手段からの入力操作に応じて設定する設定手段と、
前記格納手段に格納されている選択肢を前記表示手段に表示するよう前記入力手段からの入力があると、前記設定手段により設定されたデータを最初に表示させるように制御する制御手段と、を有することを特徴とする電子機器。
【請求項６】
第１の筐体と第２の筐体とがヒンジ部を介して開閉可能に接続され、
筐体を閉じた状態で露出する入力手段と、複数の選択肢を格納可能な格納手段と、筐体を閉じた状態で露出し、前記格納手段に格納されている選択肢の中から１つの選択肢のみ表示可能な表示手段と、前記格納手段に格納されている複数の選択肢を切り替え表示する際に常に最初に表示する選択肢を設定する設定手段と、
前記表示手段に前記格納手段に格納されている選択肢を表示するよう前記入力手段からの入力があると、前記設定手段により設定された選択肢を最初に表示させるように制御する制御手段と、を有することを特徴とする電子機器。
【請求項７】
請求項５〜６記載の電子機器であり、
既に前記設定手段により設定された選択肢を表示している状態で、前記入力手段から選択肢を切り替え表示する操作があると判定すると、前記格納手段に格納されている選択肢を切り替え表示することを特徴とする電子機器。
【請求項８】
請求項５〜７記載の電子機器であり、
前記選択肢は、画情報又は電子メールの本文であることを特徴とする電子機器。
【発明の詳細な説明】
【技術分野】
【０００１】
本発明は、ユーザの操作に応じてデータが表示可能な電子機器に関する。
【背景技術】
【０００２】
携帯電話装置やファクシミリ装置、パーソナルコンピュータ等、現在市販されている電子機器の多くは、ユーザの操作に応じて装置内部のメモリに格納されているデータ（例えば、電話番号データ、画像データ、文字データ等）を表示可能である。
【０００３】
例えば携帯電話では、近年では、このようなデータの表示や通話が可能であることは勿論のこと、１００万画素以上のＣＣＤ（Ｃｈａｒｇｅ  Ｃｏｕｐｌｅｄ  Ｄｅｖｉｃｅ）撮像素子を搭載したものも製品化されている。
【０００４】
このようなＣＣＤ撮像素子を用いて撮影し、取り込んだ画情報を携帯電話内のメモリに格納する際には、通常、取り込んだ順にメモリに格納される。この為、メモリに格納されている画情報のタイトルを表示する際には、最も新しく取り込んだ画情報のタイトルから順に複数表示され、ユーザが所望のタイトルを選択することにより選択したタイトルに対応する画情報を表示させることが可能である。
【０００５】
又、特許文献１には、データを表示させる際に、使用頻度の高いデータをデータ一覧の先頭に表示させる技術が記載されている。
【特許文献１】特開平０７−１８２１２８号公報（第４〜５頁、図１〜４）
【発明の開示】
【発明が解決しようとする課題】
【０００６】
引用文献１に記載の技術では、使用頻度の高いものをデータ一覧の先頭に表示させる技術である為、ユーザがデータを複数回使用することによって初めてその効果を奏するものである。しかしながら、使用頻度は少ないが、表示の際に早く表示させなければ困るデータも存在する。例えば、ＣＣＤで撮影したバスや電車の時刻表データがそうであり、ユーザがバスの時刻を憶えている通勤時間帯以外にバスを使用する場合、データが沢山存在し、時刻表データがデータ一覧の最後にある為になかなか表示できないと、表示操作の為に時間を費やし、バスの発車時刻に間に合わないといった事態が生じる可能性がある。
【課題を解決するための手段】
【０００７】
本発明はこのような課題を解決する為のものであり、請求項１記載の電子機器は、  入力手段と、選択肢を複数格納可能な格納手段と、該格納手段に格納されている前記選択肢の一覧を表示する表示手段と、前記格納手段に格納されている前記選択肢の一覧を表示する際に常に先頭に表示する選択肢を、前記入力手段からの指示操作に応じて設定する設定手段と、前記表示手段に前記選択肢の一覧を表示するよう前記入力手段からの入力があると、前記設定手段により設定された選択肢を選択肢一覧の先頭に表示させるように制御する制御手段と、を有することを特徴とする。
【０００８】
請求項２記載の電子機器は、第１の筐体と第２の筐体とがヒンジ部を介して開閉可能に接続され、筐体を閉じた状態で露出する入力手段と、複数の選択肢を格納可能な格納手段と、筐体を閉じた状態で露出し前記格納手段に格納されている選択肢を表示する表示手段と、前記格納手段に格納されている選択肢の一覧を表示する際に常に先頭に表示する選択肢を、前記入力手段からの指示操作に応じて設定する設定手段と、前記表示手段に選択肢の一覧を表示するよう前記入力手段からの指示操作があると、前記設定手段により設定された選択肢を選択肢一覧の先頭に表示させるように制御する制御手段と、を有することを特徴とする。
【０００９】
請求項３記載の電子機器は、請求項１〜２記載の電子機器であり、前記格納手段は、データと該データのタイトルを格納し、前記選択肢は前記タイトルであることを特徴とする。
【００１０】
請求項４記載の電子機器は、請求項３記載の電子機器であり、前記データは、電子メールの本文又は画情報であることを特徴とする。
【００１１】
請求項５記載の電子機器は、入力手段と、複数の選択肢を格納可能な格納手段と、該格納手段に格納されている選択肢の中から１つの選択肢のみ表示可能な表示手段と、前記格納手段に格納されている複数の選択肢を切り替え表示する際に常に最初に表示する選択肢を、前記入力手段からの入力操作に応じて設定する設定手段と、前記格納手段に格納されている選択肢を前記表示手段に表示するよう前記入力手段からの入力があると、前記設定手段により設定されたデータを最初に表示させるように制御する制御手段と、を有することを特徴とする。
【００１２】
請求項６記載の電子機器は、第１の筐体と第２の筐体とがヒンジ部を介して開閉可能に接続され、筐体を閉じた状態で露出する入力手段と、複数の選択肢を格納可能な格納手段と、筐体を閉じた状態で露出し、前記格納手段に格納されている選択肢の中から１つの選択肢のみ表示可能な表示手段と、前記格納手段に格納されている複数の選択肢を切り替え表示する際に常に最初に表示する選択肢を設定する設定手段と、前記表示手段に前記格納手段に格納されている選択肢を表示するよう前記入力手段からの入力があると、前記設定手段により設定された選択肢を最初に表示させるように制御する制御手段と、を有することを特徴とする。
【００１３】
請求項７記載の電子機器は、請求項５〜６記載の電子機器であり、既に前記設定手段により設定された選択肢を表示している状態で、前記入力手段から選択肢を切り替え表示する操作があると判定すると、前記格納手段に格納されている選択肢を切り替え表示することを特徴とする。
【００１４】
請求項８記載の電子機器は、請求項５〜７記載の電子機器であり、前記選択肢は、画情報又は電子メールの本文であることを特徴とする。
【発明の効果】
【００１５】
本発明では、１つの画面上に選択肢の一覧を表示させる際に、一覧の先頭に表示させる選択肢をユーザが設定することが可能である。この為、例えば時刻表データ等の緊急性を要する選択肢を設定しておけば、ユーザは即座に時刻表データを見ることが可能である。
【００１６】
又、画面上に一覧表示させる選択肢を例えばタイトルのみとしておけば、画面上に複数の画情報を表示させることにより画面が見づらくなるといった問題を回避することが可能である。
【００１７】
更に、折り畳み式の携帯電話を閉じた状態でも、筐体を閉じた状態で露出する入力手段を操作するだけで、即座に予め設定しておいた選択肢が筐体を閉じた状態で露出する表示手段に表示される為、簡単な操作で緊急性を要するデータ（例えば、時刻表データ）のタイトルを即座に表示させることが可能である。
【００１８】
又、本発明では、簡単な操作で選択肢を切り替え表示することが可能である。
【発明を実施するための最良の形態】
【００１９】
本実施例では、データフォルダに格納されているデータ（例えば、音楽データ、画像データ等）の一覧を表示する際に、常に先頭に表示させるデータをユーザが登録することが可能である。又、本実施例では、筐体を閉じた状態で、閉じた状態で外部に露出するキーをユーザが操作することにより、携帯電話のサブ液晶に、ユーザが予め登録しておいたデータを表示することが可能である。
【００２０】
図１及び図２は、本発明を適用してなる実施例装置の斜視図である。
【００２１】
図１に示す電子機器（例えば、携帯電話装置）は、例えば液晶表示装置からなる第１の表示部１６を搭載した第1筐体１００と、テンキー２１１、通話キー２２２、切キー２２３、表示選択キー２２４、次表示キー２２５、前表示キー２２６、開閉検出部（図示せず）を搭載した第２筐体２００とをヒンジ部３００を介して開閉可能に接続してなる折り畳み式の携帯電話装置である。又、図１に示す携帯電話装置は、矢印Ａ方向又はＢ方向に開閉可能である。
【００２２】
尚、前記開閉検出部（図示せず）について具体的に説明すると、前記第1筐体１００又は第２筐体２００に凸部を儲け、一方、前記第２筐体２００又は第1筐体１００に凹部である開閉検出部を儲け、筐体が閉じることに応じて前記凸部が前記凹部を押下し、筐体が閉じられたことを検出する。
【００２３】
図２は、図１に示す携帯電話装置を背面から見た斜視図である。
【００２４】
図２において、第1筐体１００は第２表示部１５を有しており、第２筐体２００はアンテナ２と撮像部１７を有している。
【００２５】
図３は、本発明を適用してなる実施例装置である携帯電話装置のブロック図である。
【００２６】
図３において、通信部１は、後述するベースバンド部３からの信号をアンテナ２を介して基地局へ発信したり、アンテナ２を介して基地局からの電波を受信したりする。
【００２７】
ベースバンド部３は、ＣＤＭＡ（Ｃｏｄｅ  ＤｉｖｉＳｉｏｎ  Ｍｕｉｔｉｐｌｅ  ＡｃｃｅＳＳ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００２８】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００２９】
切替回路１０は、３つのアンプ５、７、９とベースバンド部３との接続を後述する制御部１１１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御部１１１１の制御によりベースバンド部３の音声コーデック３２が行う。
【００３０】
マイクロプロセッサからなる制御部１１は、例えばＲＯＭ（Ｒｅａｄ  Ｏｎｌｙ  Ｍｅｍｏｒｙ）からなる第１格納部１２に格納されたシステムプログラムに基づいて、各部を制御する。
【００３１】
第２格納部１３は、例えばＳＲＡＭ（Ｓｔａｔｉｃ  Ｒａｎｄｕｍ  Ａｃｃｅｓｓ  Ｍｅｍｏｒｙ）からなり、無線により受信した画情報や着信メロディー等の音楽情報やゲームプログラム等を格納可能であり、更に、後述する撮像部１７から入力した画情報を格納可能である。又、後述するデータフォルダ内のデータはこの第２格納部１３に格納されている。
【００３２】
入力部１４は、テンキー２１１、通話キー２２２、切キー２２３、表示選択キー２２４等の各種キーからなる。又、前記表示選択キー２２４及び次表示キー２２５及び前表示キー２２６は、前記第２格納部１３に格納されている画像データを表示する際に使用する。
【００３３】
第1表示部１５は、例えば液晶表示装置からなり、動画や静止画、メール内容、電話番
号等を表示可能である。又、第1表示部１５は筐体が開いた時に表示され、閉じた時には
何も表示されない。
【００３４】
第２表示部１６は、例えば液晶表示装置からなり、カバー１１０が開いた状態の待機状
態では、電波の受信強度、電池残量、現在時刻等を表示し、着信時には、発呼側の電話番
号や氏名等を表示する。又、筐体を閉じた状態でユーザが表示選択キー２２４を操作する
ことにより、第２格納部１３に格納されている画情報を表示することが可能である。
【００３５】
撮像部１７は、例えばＣＣＤ（Ｃｈａｒｇｅ  Ｃｏｕｐｌｅｄ  Ｄｅｖｉｃｅｓ）から
なり、ユーザが風景や人物等を撮影する際に画情報を制御回路１１へ出力する。又、制御部１１へ出力された画情報は制御部１１内で圧縮や伸長といった画像処理が施される。
【００３６】
次に、本実施例装置の動作について以下に説明する。
【００３７】
先ず、データフォルダ内のデータを一覧表示する際に、先頭に表示するデータをユーザが設定する操作について以下に説明する。
【００３８】
図４はその設定操作を行う際に第１表示部１６に表示される画像を示している。
【００３９】
入力部１４によりメニューを表示するよう操作が行われると、第１表示部１６には、図４（ａ）に示すように、メニュー一覧が表示される。又、このメニュー一覧には、メール機能、データフォルダ、ＥＺｗｅｂ機能、アドレス帳、カメラ機能、メニュー、スケジュール機能、マイメニュー、メモ帳等が選択できる。尚、本実施例では、データフォルダ以外は直接関係無いため説明を省略する。
【００４０】
図４（ａ）において、データフォルダが選択されると、図４（ｂ）へと画面が切り替わる。図４（ｂ）では、データフォルダ内のデータのタイトルが一覧で表示され、例えば、音楽データである「みずいろの雨」、「喝采」、画像データである「立川バス時刻表」、「ポチ画像１」のタイトルが、格納された順番に表示される。即ち、図４（ｂ）では音楽データである「みずいろの雨」が最も新しく格納されたデータである。又、２つの前記音楽データは、例えば着信メロディーをダウンロードしたデータであり、２つの前記画像データは、撮像部１７で撮像した画情報である。
【００４１】
図４（ｂ）において、画面右下のサブメニューが選択されると、画面は図４（ｃ）に切り替わり、データ移動、Ｅメールへ添付、タイトル編修、先頭表示設定等の項目リストが表示される。ここで、４番目の「先頭表示設定」が選択されると、図４（ｄ）に表示が切り替わる。
【００４２】
図４（ｄ）では、データフォルダ内のデータを表示する際に、常に先頭に表示するデータを選択する。尚、ここでは、３番目の「立川バス時刻表」が選択される。
【００４３】
図４（ｄ）の選択が終了すると、図４（ｅ）の表示に切り替わり、データの一覧を表示する際に立川バス時刻表のデータを先頭に表示する設定が行なわれたことを表示する。
【００４４】
このような設定が終了した後に、図５（ａ）に示すようにメニュー一覧を表示し、データフォルダを選択した際には、図５（ｂ）に示すように先ほど設定した「立川バス時刻表」が常に先頭に表示されることとなる。又、新しくデータをデータフォルダに格納した場合、
例えば、図５（ｃ）に示すように、ユーザの愛犬であるポチのひるねシーンを撮像部１７で撮像しデータフォルダに格納した場合には、先頭に表示するように設定した「立川バス時刻表」の次に表示されることになり、新しくデータをデータフォルダに格納した場合でも、ユーザの設定により「立川バス時刻表」のデータを常に先頭に表示させることが可能である。
【００４５】
又、図５（ｃ）に示す表示の状態で、図５（ｃ）中下方に表示されている「表示」を選択することにより、「立川バス時刻表」の詳細なデータ（タイトルではなく時刻表の画情報）が表示される。
【００４６】
尚、第１の実施例では、データのタイトルの一覧を表示する構成としたが、データの一部を一覧表示する構成や、縮小したデータの一覧を表示する構成としても良い。
【００４７】
次に、本実施例装置の第２の実施例について以下に説明する。
【００４８】
第２実施例では、図４で説明した設定操作が終了した後に、携帯電話装置を折り畳んだ状態でユーザが表示選択キー２２４を操作すると、常に先頭に表示させるよう設定したデータを第２表示部１５に表示する。続いて次表示キー２２５或いは前表示キー２２６を操作することにより、データフォルダに格納されているデータを切換え表示する。
【００４９】
尚、第１の実施例では、データのタイトルを一覧表示する構成で説明したが、第２の実施例では、タイトルではなく、画像データであれば画像データを、音楽データであれば音楽のタイトルデータを表示する構成で説明する。
【００５０】
先ず、図４で説明した設定操作が終了した後に、図６のフロー図に示す動作を行なう。
図６に示す動作は制御回路１１の動作に基づいて以下にも説明する。
図６のＳ１ステップで、制御回路１１が入力部１４から表示選択キー２２４が操作されたことを示す信号を検出するとＳ２ステップへ処理を進める。
【００５１】
Ｓ２ステップでは、制御回路１１は、図４で設定した常に先頭に表示させるデータ「立川バス時刻表」の画情報を第２表示部１５に表示させ、Ｓ３ステップへ処理を進める。
【００５２】
Ｓ３ステップでは、制御回路１１は、入力部１４から次表示キー２２５が操作されたことを示す信号を検出するとＳ４ステップへ処理を進め、そうでなければＳ５ステップへ処理を進める。
【００５３】
Ｓ４ステップでは、制御回路１１は、データフォルダに格納されているデータの内、常に先頭に表示させるデータ「立川バス時刻表を除く」を除く最も新しく格納したデータ（例えば、図４（ｂ）に示す「みずいろの雨」のタイトルを第２表示部１５に表示させる。尚、このＳ４ステップにおいて、Ｓ７ステップから続いて処理を行なう場合には、Ｓ７ステップの時点で第２表示部１５に表示されているデータの次にデータフォルダに格納されているデータを第２表示部１５に切り替え表示する。
【００５４】
Ｓ５ステップでは、制御回路１１は、入力部１４から前表示キー２２６が操作されたことを示す信号を検出するとＳ６ステップへ処理を進め、そうでなければＳ７ステップへ処理を進める。
【００５５】
Ｓ６ステップでは、制御回路１１は、データフォルダに格納されているデータの内、Ｓ５ステップの時点で表示されているデータの前にデータフォルダに格納されているデータを第２表示部１５に切り替え表示する。尚、Ｓ５ステップの時点で、常に先頭に表示させるデータ「立川バス時刻表」が表示されている場合には、切り替え表示を行なわないか、或いは、データフォルダの最も古く格納したデータを表示させる。
【００５６】
Ｓ７ステップにおいて、制御回路１１は、入力部１４から表示選択キー２２４が押下されたことを示す信号を検出すると、データの表示を終了し、そうでなければ、Ｓ３ステップへ処理を戻す。
【００５７】
このように第２実施例では、筐体を閉じた状態でもユーザが表示選択キー２２４を押下するだけで、ユーザが予め設定したデータを即座に第２表示部１５に表示させることができる為、ユーザは、時刻表等の緊急性を要するデータを即座に見ることが可能である。
【００５８】
尚、第２実施例では、第２表示部１５に画情報を切換え表示する構成としたが、データのタイトルを切換え表示する構成としても良いし、第１実施例と同様に、データフォルダ内のデータの一覧を表示した後にキー操作に応じてデータのタイトルを選択する構成としても良い。
【００５９】
又、第２実施例においても、データの一部を一覧表示する構成や、データを縮小したものの一覧を表示する構成としても良い。
【００６０】
更に、本実施例では携帯電話について実施したが、ＰＨＳ（Ｐｅｒｓｏｎａｌ  Ｈａｎｄｙｐｈｏｎｅ  Ｓｙｓｔｅｍ）やコードレス電話装置、パーソナルコンピュータ等の電子機器についても実施することが可能である。
【００６１】
又、本実施例ではデータとして画情報を挙げたが、データとしてはメールの本文といったテキスト情報でも良い。
【図面の簡単な説明】
【００６２】
【図１】本発明を適用してなる実施例装置の前面斜視図である。
【図２】本発明を適用してなる実施例装置の背面斜視図である。
【図３】本実施例装置のブロック図である。
【図４】本実施例装置の表示形態を示す図である。
【図５】本実施例装置の表示形態を示す図である。
【図６】本実施例装置の動作を示すフロー図である。
【符号の説明】
【００６３】
１１  制御回路
１３  第２格納部
１４  入力部
１５  第１表示部
１６  第２表示部
１７  撮像部
２２４  表示選択キー
２２５  次表示キー
２２６  前表示キー
【図１】
2005086268.tif 000003
【図２】
2005086268.tif 000004
【図３】
2005086268.tif 000005
【図４】
2005086268.tif 000006
【図５】
2005086268.tif 000007
【図６】
2005086268.tif 000008